(57)【要約】【課題】本発明は、厚さを薄くすることができる電子装置を提供するのを目的とする。【解決手段】カバーと、該カバーの内部に装着されるカメラモジュールと、を含む電子装置において、前記カバーには、前記カメラモジュールの位置と対応し、外部から内部への方向で半径が徐々に小さくなる穴部が設けられている。従って、前記カメラモジュールに半径が徐々に小さくなる穴部を設ける必要がないから、カメラモジュールの厚さを薄くし、且つ電子装置の厚さも薄くすることができる。【選択図】図２
2008102523.tif 000002
【特許請求の範囲】
【請求項１】
カバーと、該カバーの内部に装着されるカメラモジュールと、を含む電子装置において、
前記カバーには、前記カメラモジュールの位置と対応し、外部から内部への方向で半径が徐々に小さくなる穴部が設けられていることを特徴とする電子装置。
【請求項２】
前記穴部が階段状穴部であることを特徴とする請求項１に記載の電子装置。
【請求項３】
前記穴部が錐状穴部であることを特徴とする請求項１に記載の電子装置。
【請求項４】
前記穴部が円状穴部であることを特徴とする請求項１に記載の電子装置。
【請求項５】
前記カメラモジュールは、鏡筒と、該鏡筒の内部に装着されるレンズと、を含むことを特徴とする請求項１に記載の電子装置。
【請求項６】
前記鏡筒は、一端に位置する密閉端と、他端に位置する開口端と、を具備する中空円筒体であることを特徴とする請求項５に記載の電子装置。
【請求項７】
前記密閉端の中心には、外部の光線を入射させる孔が設けられていることを特徴とする請求項６に記載の電子装置。
【請求項８】
前記カメラモジュールは、前記鏡筒の密閉端に密着される透明板をさらに含むことを特徴とする請求項６に記載の電子装置。
【請求項９】
前記カメラモジュールは、外部からの光線を電気信号へ変換するイメージセンサをさらに含むことを特徴とする請求項１に記載の電子装置。
【発明の詳細な説明】
【技術分野】
【０００１】
本発明は、電子装置に係わり、特に撮像用穴部が設けられる電子装置に関する。
【背景技術】
【０００２】
現在、カメラモジュール付き携帯電話等の電子装置が広く使用されており、携帯に便利なように、電子装置を軽く、薄く、小さくする方向へ発展している。且つ、電子装置の使用者の要求を満足させるために、前記電子装置に装着されたカメラモジュールの画質を高める必要がある。前記電子装置に装着されるカメラモジュールは通常、レンズ、鏡筒、イメージセンサ等の部品から構成される。前記レンズは、前記鏡筒の内部に装着されて、外部からの光線を集光させる。前記イメージセンサは、前記レンズによって集光される光線を電気信号へ変換する。
【０００３】
前記電子装置に装着されるカメラモジュールで写真を撮る時、不要な光線が前記鏡筒に入ってイメージセンサの画像が悪くなるか、前記鏡筒の構造によってイメージセンサに鏡筒の影が生じることが起こりうる。即ち、前記イメージセンサにムラが形成され、画質に影響を与える可能性がある。この問題を解決するために、前記鏡筒の構造を改善する必要がある。
【０００４】
図１は、従来の電子装置に装着されるカメラモジュールを示す断面図である。前記カメラモジュールは、レンズ１０と、鏡筒２０と、透明板３０と、含む。前記鏡筒２０は、密閉端２２及び開口端２８を含む中空円筒体である。前記レンズ１０は、前記鏡筒２０の内部に装着されて、入射される光線を集光させる。前記密閉端２２の軸心位置には、外部の光線を入射させる孔２３が設けられている。
【０００５】
写真を撮る時、不要な光線が入射されてイメージセンサ（図示せず）にムラが形成されたり、前記鏡筒の構造によってイメージセンサに鏡筒の影が生じたりすることを防ぐために、前記孔２３を階段状孔に設けることができる。即ち、前記密閉端２２から前記開口端２８への方向で前記孔２３の半径が徐々に小さくなる。前記孔２３によって、前記鏡筒２０の内面に階段状側壁２４が形成される。前記透明板３０は、前記孔２３の前方に位置するように、前記密閉端２２に装着されている。前記透明板３０は、外部の埃が前記孔２３から前記鏡筒２０の内部に入ることを防ぐ。
【０００６】
前記電子装置は、カバー４０を含む。前記カバー４０には、前記鏡筒２０の孔２３の位置と対応する穴部４２が設けられている。前記電子装置に装着されたカメラで写真を撮る時、外部の光線が穴部４２、透明板３０、孔２３、及びレンズ１０を通過した後、イメージセンサに入射される。前記イメージセンサは、入射された光線を電気信号に変換する。
【０００７】
上述したように、前記鏡筒２０において、前記孔２３を階段状に形成されているので、イメージセンサにムラが形成されたり、鏡筒の影が生じたりすることを防ぐことができる。しかし、前記鏡筒２０に階段状孔２３を形成するために、前記鏡筒２０の壁の厚さを増加する必要がある。前記鏡筒２０の壁の厚さを増加すると、カメラモジュールの厚さが増加され、且つカメラモジュールが占める空間も増加される。従って、このカメラモジュールを用いる電子装置の厚さも厚くなる。
【発明の開示】
【発明が解決しようとする課題】
【０００８】
以上の問題点に鑑みて、本発明は、厚さを薄くすることができる電子装置を提供することを目的とする。
【課題を解決するための手段】
【０００９】
カバーと、該カバーの内部に装着されるカメラモジュールと、を含む電子装置において、前記カバーには、前記カメラモジュールの位置と対応し、外部から内部への方向で半径が徐々に小さくなる穴部が設けられている。
【発明の効果】
【００１０】
上述したように、前記カバーに外部から内部への方向で半径が徐々に小さくなる穴部が設けられている。従って、前記カメラモジュールに半径が徐々に小さくなる穴部を設ける必要がないから、カメラモジュールの厚さを薄くし、且つ電子装置の厚さも薄くすることができる。且つ、前記穴部の半径が徐々に小さくなるから、イメージセンサにムラが生じたり、カバーの影が生じたりすることを防ぐことができる。
【発明を実施するための最良の形態】
【００１１】
以下図面に基づいて、本発明の実施形態に係る電子装置に対して詳細に説明する。
【００１２】
図２は、本発明の第一実施形態に係る電子装置を示す断面図である。前記電子装置は、カバー１００及びカメラモジュール２００を含む。前記カメラモジュール２００は、レンズ２１０と、鏡筒２２０と、透明板２３０と、を含む。
【００１３】
前記鏡筒２２０は、一端に位置する密閉端２２２と、他端に位置する開口端２２８と、を具備する中空円筒体である。前記密閉端２２２の中心には、外部の光線を入射させる孔２２３が設けられている。前記レンズ２１０は、前記鏡筒２２０の内部に装着されて、前記孔２２３から入射される光線を集光させる。前記透明板２３０は、前記密閉端２２２に密着されて、外部の埃が前記孔２２３から入ることを防ぐ。
【００１４】
写真を撮る時、外部の光線が前記孔２２３を通じて、前記鏡筒２２０の内部のレンズ２１０に入射される。前記レンズ２１０は、入射された光線をイメージセンサ（図示せず）へ集光させ、前記イメージセンサは集光される光線を電気信号へ変換する。
【００１５】
前記カバー１００の内部には、前記カメラモジュール２００と電子装置を構成する各種の部品が装着されている。前記カバー１００は、上表面１０１と、内表面１０８と、穴部１０２と、を含む。前記穴部１０２は、カバー１００の上表面１０１と内表面１０８を貫通し、前記孔２２３と対応する位置に設けられている。前記本実施形態で、前記穴部１０２は円状穴部であるが、需要によって他の形状に設けることもできる。
【００１６】
前記穴部１０２は、前記カバー１００の上表面１０１と内表面１０８を貫通し、上表面１０１から内表面１０８への方向で半径が徐々に小さくなる階段状穴部である。即ち、前記穴部１０２の内面に階段状側壁１０４が形成されている。このような階段状穴部１０２は、不要な光線によってイメージセンサにムラが生じたり、カバー１００の影が生じたりすることを防ぐことができる。
【００１７】
他の実施形態で、前記穴部をカバーの上表面から内表面への方向で半径が徐々に小さくなる錐状穴部に設けることもできる。
【００１８】
上述したように、前記穴部１０２が前記カバー１００に設けられている。従って、前記カメラモジュール２００に半径が徐々に小さくなる孔２２３を設ける必要がないから、カメラモジュール２００の厚さを薄くし、電子装置の厚さも薄くすることができる。又、前記カバー１００は比較的厚いから、カバー１００の厚さを増加する必要がない。即ち、前記カバー１００と前記カメラモジュール２００の厚さを薄くし、前記電子装置の厚さも薄くすることができる。
【図面の簡単な説明】
【００１９】
【図１】従来の電子装置に装着されるカメラモジュールを示す断面図である。
【図２】本発明の第一実施形態に係る電子装置を示す断面図である。
【符号の説明】
【００２０】
１００  カバー
１０１  上表面
１０２  穴部
１０４  側壁
１０８  内表面
２００  カメラモジュール
２１０  レンズ
２２０  鏡筒
２２２  密閉端
２２３  孔
２２８  開口端
２３０  透明板
【図１】
2008102523.tif 000003
【図２】
2008102523.tif 000004